(57)【要約】本発明は、誘電性キャリア（３）の第１の側面に搭載される放射素子（８）を有する可撓膜（１）を備えるアンテナ装置に関する。誘電性キャリア（３）は、第１の側面から第１の側面に対向する第２の側面への貫通孔（５）を有する。可撓膜（１）は誘電性で、前記貫通孔（５）上に配置されるフリップ（２）を提供する切断線状パターンを備え、前記フリップ（２）は前記可撓膜（１）と同一平面上に存在する。
2009530901.tif 000002
【特許請求の範囲】
【請求項１】
誘電性キャリア（３）の第１の側面に搭載される放射素子（８）を有する可撓膜（１）を備えるアンテナ装置であって、
前記誘電性キャリア（３）が前記第１の側面から前記第１の側面に対向する第２の側面までの貫通孔（５）を有すること、
前記可撓膜（１）は誘電性で、前記貫通孔（５）を覆うように配置されるフリップ（２）を提供する切断線状パターンを備え、前記フリップ（２）は前記可撓膜（１）と同一平面上に設けられること
を特徴とするアンテナ装置。
【請求項２】
前記可撓膜（１）が接着剤によって前記誘電性キャリア（３）に取外し可能に搭載される、請求項１に記載のアンテナ装置。
【請求項３】
前記接着剤が非硬化性である、請求項２に記載のアンテナ装置。
【請求項４】
前記切断線状パターンが略Ｕ字状である、請求項１ないし３のいずれか１項に記載のアンテナ装置。
【請求項５】
前記切断線状パターンが前記貫通孔（５）の輪郭のほぼ内部にある、請求項１ないし４のいずれか１項に記載のアンテナ装置。
【請求項６】
前記切断線状パターンが前記可撓膜１の輪郭内にある、請求項１ないし５のいずれか１項に記載のアンテナ装置。
【請求項７】
前記切断線状パターンが前記放射素子（８）の輪郭外にある、請求項１ないし６のいずれか１項に記載のアンテナ装置。
【請求項８】
前記貫通孔（５）の外周は少なくとも１つの直線部を有する、請求項１ないし７のいずれか１項に記載のアンテナ装置。
【請求項９】
前記フリップ（２）が前記直線部に沿って前記貫通孔（５）内に折り畳まれるように設けられる、請求項８に記載のアンテナ装置。
【請求項１０】
前記フリップ（２）が前記貫通孔（５）の輪郭にほぼ類似の形状を有する、請求項１ないし９のいずれか１項に記載のアンテナ装置。
【請求項１１】
前記切断線状パターンが湾曲端部を備える、請求項１ないし１０のいずれか１項に記載のアンテナ装置。
【請求項１２】
先行する請求項のいずれか１項に記載のアンテナ装置を備えることを特徴とする携帯無線通信装置。
【発明の詳細な説明】
【技術分野】
【０００１】
本発明は、概してアンテナ装置に関する。特に、本発明は、可撓膜を備えるアンテナ装置に関する。
【背景技術】
【０００２】
携帯電話やセル方式携帯電話、またはその他の携帯無線通信装置用のアンテナは、今日、アンテナが使用される装置のシャーシ内に搭載されることが多い。現代では小型の携帯電話が求められているので、携帯電話内の所望の全構成要素に対するスペースは制限されており、携帯電話の構成要素に設計上の制限を課す。したがって、アンテナは、携帯電話内のプリント配線板に搭載される他の構成要素上に搭載されることがある。
【０００３】
アンテナの下に搭載される構成要素に、たとえば修理のためにあるいは測定テストのためにアクセスする必要がある場合、アンテナを取り外す必要がある。しかしながら、アンテナの再搭載は非常に緻密に行う必要があり、さもなければアンテナの特性が劣化する恐れがあるので、アンテナを取り外すのは望ましくない。
【発明の開示】
【発明が解決しようとする課題】
【０００４】
本発明の目的は、アンテナ装置の下に搭載される構成要素にアクセスできるアンテナ装置を提供することである。
本発明の別の目的は、携帯無線通信装置のアンテナ装置の下に搭載される構成要素にアクセスできる携帯無線通信装置を提供することである。
【０００５】
これらの目的は特に、本発明によれば、添付の請求項に定義されるように、それぞれアンテナ装置と携帯無線通信装置とによって達成される。
放射素子を有する可撓膜付きのアンテナ装置を提供することは、可撓膜が誘電性で、誘電性キャリアの貫通孔上に切断線状パターン(ａ  ｃｕｔ  ｌｉｎｅａｒ  ｐａｔｔｅｒｎ)を備えていることから、切断線状パターンにより貫通孔に形成されたフリップを押すことによってアンテナ装置の下に搭載される構成要素にアクセスすることを可能にする。その後、フリップは所望すれば、再び貫通孔上に搭載し直すことができるが、これによりアンテナ装置は元の形状に再形成される。このように、放射素子を誘電性キャリアに信頼性高く搭載することができると同時に、アンテナ装置の下の構成要素へのアクセス用ドアによってアンテナ装置の外形が制限されることがほとんどない。放射素子は多くの場合非常に小さく薄いので取扱が難しい。放射素子を支持するために、フレックス膜と呼ばれる誘電体膜に放射素子を埋め込むことによって、その取扱と使用が簡易化される。
【０００６】
さらに、本発明の特徴と利点が、以下の説明から明確になるであろう。
【発明を実施するための最良の形態】
【０００７】
本発明は、以下に示す実施形態の詳細な説明と添付の図面からより完全に理解されるであろう。それらの図面は図示のためだけに示され、本発明を限定するものではない。
以下の説明では、限定ではなく説明のために、本発明の完全な理解を深めるように、具体的な技術や用途などの特定の細部を説明する。ただし、当業者にとっては、これらの特定の細部とは別の他の実施形態で実行可能なことは自明であろう。別の例では、不要に細部を説明して本発明をあいまいにさせることがないように、十分既知な方法および装置の詳細な説明は、省略する。
【０００８】
本発明の第１の実施形態を、図１〜４を参照して以下に説明する。
アンテナ装置は、誘電性キャリア３に搭載される放射素子８を有する可撓膜１を備える。可撓膜１は誘電性で、放射素子８の取扱と使用、特に搭載前と搭載中の取扱および搭載されているときの使用をサポートする。次に、アンテナ装置は、携帯電話などの携帯無線通信装置のプリント配線板（ＰＷＢ）４に搭載される。
【０００９】
ＰＷＢ４は１つ以上の構成要素６、または、たとえばアンテナ装置の下、より正確には可撓膜１の下に搭載される測定プローブなどのためのアクセスポイントを有する。すなわち、構成要素６と可撓膜１は、ＰＷＢ４の同じ領域を占める。誘電性キャリア３には、構成要素６のほぼ上方に貫通孔５が設けられる。可撓膜１は、貫通孔５の上方に配置され、たとえば、パンチ動作で切断される線状パターンによって提供されるフリップ２を備えるが、このような切断部分の除去は複雑で、費用がかかるため、可撓膜１から材料を切断することは望ましくない。線状パターンによって切断の規模が示されるが、これによりパターンは湾曲でもよいが、まだ線状である。
【００１０】
フリップ２を含む可撓膜１は好ましくは接着剤によって誘電性キャリア３に装着されるが、たとえば超音波溶接や熱積層によって装着することも可能である。可撓膜１に非硬化接着剤を提供することによって、接着剤が切断線状パターン全体に滲み出て、ほぼ切れ目なく可撓膜１の支持面を提供するため、切断線状パターンにもかかわらず、搭載および使用中、フリップ２は可撓膜１と同一表面上で所定位置に頑丈に保持される。
【００１１】
貫通孔５は十分に大きいので、構成要素６の取外し／搭載、あるいはたとえば測定プローブの通過のいずれかのために、アンテナ装置を通って、ＰＷＢ４上の構成要素６またはアクセスポイントまでアクセスすることができる。フリップ２を貫通孔５よりやや小さくすることによって、フリップ２はたとえば測定プローブによって貫通孔５に押し込むことができ、それにより、フリップ２はその非切断部に沿って貫通孔５内に折り畳まれる。フリップ２は好ましくは、アンテナ装置の下のＰＷＢ４への保守用ドアをできるだけ大きく提供するように、同じ形状で貫通孔５の輪郭よりもごくわずかに小さいだけである。好ましくは、貫通孔５は、直線部を備え、それに沿ってフリップ２が貫通孔５内に折り畳まれる。貫通孔５の直線部の輪郭のわずかに外側に延在する切断線状パターンを有することによって、フリップがその直線部に沿って貫通孔５内に折り畳まれるときに可撓膜１が剥ぎ取られる可能性は低くなる。
【００１２】
フリップ２と貫通孔５は好ましくは、矩形状またはＵ字状で、アンテナ装置の下のＰＷＢ４への大きな保守用ドアを提供する。好ましくは、フリップ２は、アンテナ装置の放射特性にできる限り影響を与えないように、可撓膜１の輪郭内で放射素子８の輪郭外に配置される。可撓膜１は好ましくは、小型の放射素子、ひいては小型の可撓膜はたとえば搭載中に取り扱うのが困難なので、特に放射素子８が小さいときは放射素子８よりも相当大きくする。切断線状パターンが放射素子８を渡って、あるいは放射素子８内に設けられる場合、フリップ２は好ましくは、アンテナ装置の放射特性にできるだけ影響を与えないように、取り外した後に再装着される。
【００１３】
設けられたフリップ２はわずかな押圧によって開放され、アンテナ装置の下の構成要素６またはアクセスポイントへの保守用ドアとして貫通孔５をさらけ出すことができる。
本発明の第２の実施形態を、図５を参照して以下説明する。この本発明の第２の実施形態は、切断線状パターン、ひいてはフリップ２がＶ字状で、放射素子８が異なる形状であること以外は上述の第１の実施形態と同一である。
【００１４】
さらに、放射素子８およびフリップ２は、たとえば図６〜９に示されるような形状を有することができる。図６〜９は、フリップ２が直線部に沿って貫通孔５内に折り畳まれるときにフリップ２が剥ぎ取られるのを防ぐように、切断線状パターンが異なって湾曲した端部も示す。
【００１５】
本発明が複数の様式に変更可能なことは自明であろう。このような変更は、添付の請求項に定義される本発明の範囲の逸脱としてみなすべきではない。可撓膜はたとえば矩形状に図示されるが、可撓性のある放射素子の設計は本発明に必須ではなく、携帯無線通信装置の設計によって、および放射素子の設計によって一般的に影響を受ける、任意の所望の形状を取ることができる。放射素子の設計は直線部で示されているが、実際にはスロット、開口部、長細部などの所望の形状を取ることができる。さらに、フリップの形状は、様々な形状を取る可撓膜や放射素子の所望の設計に適合するように調整することができる。また、２つ以上のフリップを貫通孔に対して設けることができ、２つ以上のフリップを２つ以上の貫通孔、および両方の組み合わせおよび／または複数のフリップに対して設けることができる。上記変更はすべて当業者にとっては自明であり、添付の請求項に定義されるような本発明の範囲に含まれると意図される。
【図面の簡単な説明】
【００１６】
【図１】本発明の第１の実施形態に係るアンテナ装置の平面図である。
【図２】図１に示されるアンテナ装置の分解側面図である。
【図３】フリップが閉じた図１の線ＩＩＩ−ＩＩＩに沿った切断部分の分解側面図である。
【図４】フリップが開いた図１の線ＩＩＩ−ＩＩＩに沿った切断部分の分解側面図である。
【図５】本発明の第２の実施形態に係るアンテナ装置を示す。
【図６】本発明に係る別の切断パターンを示す。
【図７】本発明に係る別の切断パターンを示す。
【図８】本発明に係る別の切断パターンを示す。
【図９】本発明に係る別の切断パターンを示す。
【図１】
2009530901.tif 000003
【図２】
2009530901.tif 000004
【図３】
2009530901.tif 000005
【図４】
2009530901.tif 000006
【図５】
2009530901.tif 000007
【図６】
2009530901.tif 000008
【図７】
2009530901.tif 000009
【図８】
2009530901.tif 000010
【図９】
2009530901.tif 000011
【国際調査報告】
2009530901.tif 000012
2009530901.tif 000013
2009530901.tif 000014